(57)【要約】【課題】無線装置の回路規模が大きかった。【解決手段】第１、第２、第３、第４の接続点を有するスロットを備える導体板と、共振用キャパシタとを含み、第１、第２の接続点の位置により定まるインピーダンスが、第１の回路のインピーダンスと実質的に等しく、第３、第４の接続点の位置により定まるインピーダンスが、第２の回路のインピーダンスと実質的に等しい。【選択図】図２
2009159005.tif 000002
【特許請求の範囲】
【請求項１】
（１）矩形のスロットが規定されている導体板と、
（２）前記スロットの第１の長辺上の第１の中点と第２の長辺上の第２の中点との間に設けられている共振用キャパシタと、
（３）前記第１の長辺上で前記第１の中点と一方の端点との間に設けられている第１の接続点、及び、前記第２の長辺上で前記第１の接続点に対応して設けられた第２の接続点であって、前記第１の中点及び前記第１の接続点間の距離により定まるインピーダンスが、当該第１の接続点に接続されている不平衡型の第１の回路の入力インピーダンスと実質的に等しい前記第１の接続点、及び、接地電位に接続されている前記第２の接続点と、
（４）前記第１の長辺上で前記第１の中点と他方の端点との間に設けられている第３の接続点、及び、前記第２の長辺上で前記第３の接続点に対応して設けられている第４の接続点であって、前記第１の中点及び前記第３の接続点間の距離により定まるインピーダンスが、当該第３の接続点に接続されている不平衡型の第２の回路の入力インピーダンスと実質的に等しい前記第３の接続点、及び、接地電位に接続されている前記第４の接続点と、を含むことを特徴とするスロットアンテナ。
【請求項２】
（１）矩形のスロットが規定されている導体板と、
（２）前記スロットの第１の長辺上の第１の中点と第２の長辺上の第２の中点との間に設けられている共振用キャパシタと、
（３）前記第１の長辺上で前記第１の中点と一方の端点との間に設けられている第１の接続点、及び、前記第２の長辺上で前記第１の接続点に対応して設けられている第２の接続点であって、前記第１の中点及び前記第１の接続点間の距離、並びに、前記第２の長辺上の第２の中点及び前記第２の接続点間の距離により定まるインピーダンスが、前記第１の接続点及び前記第２の接続点に接続されている平衡型の第１の回路の入力インピーダンスと実質的に等しい前記第１の接続点及び前記第２の接続点と、
（４）前記第１の長辺上で前記第１の中点と他方の端点との間に設けられている第３の接続点、及び、前記第２の長辺上で前記第３の接続点に対応して設けられた第４の接続点であって、前記第１の中点及び前記第３の接続点間の距離、並びに、前記第２の長辺上の第２の中点及び前記第４の接続点間の距離により定まるインピーダンスが、前記第３の接続点及び前記第４の接続点に接続されている平衡型の第２の回路の入力インピーダンスと実質的に等しい前記第３の接続点及び前記第４の接続点と、を含むことを特徴とするスロットアンテナ。
【請求項３】
（１）矩形のスロットが規定されている導体板と、
（２）前記スロットの第１の長辺上の第１の中点と第２の長辺上の第２の中点との間に設けられている共振用キャパシタと、
（３）前記第１の長辺上で前記第１の中点と一方の端点との間に設けられている第１の接続点、及び、前記第２の長辺上で前記第１の接続点に対応して設けられている第２の接続点であって、前記第１の中点及び前記第１の接続点間の距離により定まるインピーダンスが、当該第１の接続点に接続されている不平衡型の第１の回路の入力インピーダンスと実質的に等しい前記第１の接続点、及び、接地電位に接続されている前記第２の接続点と、
（４）前記第１の長辺上で前記第１の中点と前記一方の端点との間に設けられている第３の接続点、及び、前記第２の長辺上で前記第３の接続点に対応して設けられている第４の接続点であって、前記第１の中点及び前記第３の接続点間の距離により定まるインピーダンスが、当該第３の接続点に接続されている不平衡型の第２の回路の入力インピーダンスと実質的に等しい前記第３の接続点、及び、接地電位に接続されている前記第４の接続点と、を含むことを特徴とするスロットアンテナ。
【請求項４】
（１）矩形のスロットが規定されている導体板と、
（２）前記スロットの第１の長辺上の第１の中点と第２の長辺上の第２の中点との間に設けられている共振用キャパシタと、
（３）前記第１の長辺上で前記第１の中点と一方の端点との間に設けられている第１の接続点、及び、前記第２の長辺上で前記第１の接続点に対応して設けられている第２の接続点であって、前記第１の中点及び前記第１の接続点間の距離により定まるインピーダンスが、当該第１の接続点に接続される不平衡型の第１の回路の出力インピーダンスと実質的に等しい前記第１の接続点、及び、接地電位に接続されている前記第２の接続点と、
（４）前記第１の長辺上で前記第１の中点と他方の端点との間に設けられている第３の接続点、及び、前記第２の長辺上で前記第３の接続点に対応して設けられている第４の接続点であって、前記第１の中点及び前記第３の接続点間の距離により定まるインピーダンスが、当該第３の接続点に接続されている不平衡型の第２の回路の入力インピーダンスと実質的と等しい前記第３の接続点、及び、接地電位に接続されている前記第４の接続点と、を含むことを特徴とするスロットアンテナ。
【請求項５】
（１）矩形のスロットが規定されている導体板と、
（２）前記スロットの第１の長辺上の第１の中点と第２の長辺上の第２の中点との間に設けられている共振用キャパシタと、
（３）前記第１の長辺上で前記第１の中点と一方の端点との間に設けられている第１の接続点、及び、前記第２の長辺上で前記第１の接続点に対応して設けられている第２の接続点であって、前記第１の中点及び前記第１の接続点間の距離により定まるインピーダンスが、当該第１の接続点に接続される不平衡型の第１の回路の出力インピーダンスと実質的に等しい前記第１の接続点、及び、接地電位に接続されている前記第２の接続点と、
（４）前記第１の長辺上で前記第１の中点と他方の端点との間に設けられている第３の接続点、及び、前記第２の長辺上で前記第３の接続点に対応して設けられた第４の接続点であって、前記第１の中点及び前記第３の接続点間の距離、並びに、前記第２の長辺上の第２の中点及び前記第４の接続点間の距離により定まるインピーダンスが、前記第３の接続点及び前記第４の接続点に接続されている平衡型の第２の回路の入力インピーダンスと実質的に等しい前記第３の接続点及び前記第４の接続点と、を含むことを特徴とするスロットアンテナ。
【請求項６】
請求項１〜請求項３記載のスロットアンテナと、
前記第１の回路である整流回路と、
前記第２の回路である復調回路と、を含むことを特徴とする無線装置。
【請求項７】
請求項４、請求項５記載のスロットアンテナと、
前記第１の回路である送信回路と、
前記第２の回路である受信回路と、を含むことを特徴とする無線装置。
【請求項８】
請求項６、請求項７記載の無線装置を含むことを特徴とする電子機器。
【発明の詳細な説明】
【技術分野】
【０００１】
本発明は、スロットアンテナ、無線装置、及び電子機器に関し、詳しくは、キーレスエントリーシステム及び携帯電話のような無線通信を行う電子機器、当該電子機器が備える、前記無線通信の機能を有する無線装置、及び、当該無線装置が備える、前記無線通信のための電波を送受するスロットアンテナに関する。
【背景技術】
【０００２】
図７に図示された、下記の特許文献１〜特許文献４に記載されたと同様なスロットアンテナＳＡ１０では、外部から、電波Ｍ１０に重畳されている電力Ｐ１０及び信号Ｓ１０を受けるべく、導電板ＣＮに設けられた矩形状のスロット（スリット）ＳＬは、一方の長辺ＬＳ１０の中点ＣＰ１０と他方の長辺ＬＳ１１の中点ＣＰ１１との間に共振用キャパシタＣが接続されている。
【０００３】
スロットアンテナＳＡ１０は、また、前記受けた電力Ｐ１０を無線装置ＲＤ１０内の整流回路ＲＣＴに出力し、かつ、受けた信号Ｓ１０を無線装置ＲＤ１０内の復調回路ＤＥＭに出力すべく、スロットアンテナＳＡ１０の長辺ＬＳ１０、ＬＳ１１上に一対の接続点ＦＤ１０、ＦＤ１１（給電点）を有する。
【０００４】
【特許文献１】特開２００５−２２２２７７号公報
【特許文献２】特開２００５−２３６６７２号公報
【特許文献３】特開２００４−２７４３８１号公報
【特許文献４】特開平６−３３８８１９号公報
【発明の開示】
【発明が解決しようとする課題】
【０００５】
しかしながら、上記した従来のスロットアンテナＳＡ１０では、前記受けた電力Ｐ１０及び信号Ｓ１０の両方を、前記一対の接続点ＦＤ１０、ＦＤ１１のみから前記整流回路ＲＣＴ及び復調回路ＤＥＭに出力する。従って、図７に示されるように、整流回路ＲＣＴ向けの電力Ｐ１０と復調回路ＤＥＭ向けの信号Ｓ１０とを分離すべく、当該分離のための分配回路ＤＶが必要であり、さらに、当該分配回路ＤＶと整流回路ＲＣＴとの間には、当該整流回路ＲＣＴの入力インピーダンスと整合を取るための整合回路ＭＴ１０が必要であり、同様に、前記分配回路ＤＶと復調回路ＤＥＭとの間には、当該復調回路ＤＥＭの入力インピーダンスと整合を取るための整合回路ＭＴ１１が必要である。その結果、無線装置ＲＤ１０の回路規模が大きくなるという問題があった。
【０００６】
また、図８（Ａ）に図示された従来のループアンテナＬＡ１０では、２つのループアンテナ本体、即ち、第１のループアンテナ本体Ｌ１０と、第２のループアンテナ本体Ｌ１１とを備え、第１のループアンテナ本体Ｌ１０は、当該第１のループアンテナ本体Ｌ１０に接続されている整流回路ＲＣＴに電力Ｐ１０を供給し、他方で、第２のループアンテナ本体Ｌ１１は、当該第２のループアンテナ本体Ｌ１１に接続されている復調回路ＤＥＭに信号Ｓ１０を出力する。また、図８（Ｂ）に図示された従来のループアンテナＬＡ２０は、当該ループアンテナＬＡ２０に接続されている整流回路ＲＣＴ及び復調回路ＤＥＭに電力Ｐ１０及び信号Ｓ１０を出力する。
【０００７】
しかしながら、前者の従来のループアンテナＬＡ１０では、第１のループアンテナ本体Ｌ１０と第２のループアンテナ本体Ｌ１１との間の電磁的結合を所望の状態（予め決められた仕様）に調整することが容易ではなく、また、後者の従来のループアンテナＬＡ２０では、点線で図示されたような副次的なアンテナが電気的に形成され、当該アンテナに流れる電流ｉ１０、ｉ１１を分析することが困難であり、その結果、当該ループアンテナＬＡ２０の設計が困難であるという問題があった。
【０００８】
さらに、図９に図示された従来の無線装置ＲＤ２０では、外部から受ける信号（受信信号）Ｓｒ１０を、送受共用アンテナＴＲＡ２０→帯域濾波器ＢＰＦ２０→整合回路ＭＴ２０→切換回路ＳＷ２０→受信回路ＲＸ２０の経路で受信回路ＲＸ２０に到達させること、及び、外部へ送出すべき信号（送信信号）Ｓｔ１０を、送信回路ＴＸ２０→切換回路ＳＷ２０→整合回路ＭＴ２０→帯域濾波器ＢＰＦ２０→送受共用アンテナＴＲＡ２０の経路で送受共用アンテナＴＲＡ２０から送出することを、一つの送受共用アンテナＴＲＡ２０で実現するには、前記受信信号Ｓｒ１０と前記送信信号Ｓｔ１０とを切り換えるための前記切換回路ＳＷ２０を必要とするという問題があった。
【課題を解決するための手段】
【０００９】
本発明は、上記した課題を解決すべく、以下の適用例により実現される。
【００１０】
［適用例１］
適用例１のスロットアンテナは、
（１）矩形のスロットが規定されている導体板と、
（２）前記スロットの第１の長辺上の第１の中点と第２の長辺上の第２の中点との間に設けられている共振用キャパシタと、
（３）前記第１の長辺上で前記第１の中点と一方の端点との間に設けられている第１の接続点、及び、前記第２の長辺上で前記第１の接続点に対応して設けられた第２の接続点であって、前記第１の中点及び前記第１の接続点間の距離により定まるインピーダンスが、当該第１の接続点に接続されている不平衡型の第１の回路の入力インピーダンスと実質的に等しい前記第１の接続点、及び、接地電位に接続されている前記第２の接続点と、
（４）前記第１の長辺上で前記第１の中点と他方の端点との間に設けられている第３の接続点、及び、前記第２の長辺上で前記第３の接続点に対応して設けられている第４の接続点であって、前記第１の中点及び前記第３の接続点間の距離により定まるインピーダンスが、当該第３の接続点に接続されている不平衡型の第２の回路の入力インピーダンスと実質的に等しい前記第３の接続点、及び、接地電位に接続されている前記第４の接続点と、を含む。
【００１１】
適用例１のスロットアンテナによれば、前記第１の接続点及び前記第２の接続点が、前記第１の中点と当該第１の接続点とにより定めるインピーダンスが、当該第１の接続点に接続されている前記第１の回路の入力インピーダンスに実質的に等しくなるように設けられており、かつ、前記第３の接続点及び前記第４の接続点が、前記第１の中点と当該第３の接続点とにより定めるインピーダンスが、当該第３の接続点に接続されている前記第２の回路の入力インピーダンスに実質的に等しくなるように設けられていることから、従来のスロットアンテナに必要であった分配回路及び整合回路が不要となり、その結果、回路規模を小さくすることが可能となり、加えて、従来のループアンテナに必要であった当該ループアンテナの困難な調整や設計を不要とすることが可能となる。
【００１２】
［適用例２］
適用例２のスロットアンテナは、
（１）矩形のスロットが規定されている導体板と、
（２）前記スロットの第１の長辺上の第１の中点と第２の長辺上の第２の中点との間に設けられている共振用キャパシタと、
（３）前記第１の長辺上で前記第１の中点と一方の端点との間に設けられている第１の接続点、及び、前記第２の長辺上で前記第１の接続点に対応して設けられている第２の接続点であって、前記第１の中点及び前記第１の接続点間の距離、並びに、前記第２の長辺上の第２の中点及び前記第２の接続点間の距離により定まるインピーダンスが、前記第１の接続点及び前記第２の接続点に接続されている平衡型の第１の回路の入力インピーダンスと実質的に等しい前記第１の接続点及び前記第２の接続点と、
（４）前記第１の長辺上で前記第１の中点と他方の端点との間に設けられている第３の接続点、及び、前記第２の長辺上で前記第３の接続点に対応して設けられた第４の接続点であって、前記第１の中点及び前記第３の接続点間の距離、並びに、前記第２の長辺上の第２の中点及び前記第４の接続点間の距離により定まるインピーダンスが、前記第３の接続点及び前記第４の接続点に接続されている平衡型の第２の回路の入力インピーダンスと実質的に等しい前記第３の接続点及び前記第４の接続点と、を含む。
【００１３】
適用例２のスロットアンテナによれば、前記第１の接続点及び前記第２の接続点が、前記第１の中点及び当該第１の接続点間の距離、並びに、前記第２の中点及び当該第２の接続点間の距離により定まるインピーダンスが、前記第１の回路の入力インピーダンスと実質的に等しくなるように設けられており、かつ、前記第３の接続点及び前記第４の接続点が、前記第１の中点及び当該第３の接続点間の距離、並びに、前記第２の中点及び当該第４の接続点間の距離により定まるインピーダンスが、前記第２の回路の入力インピーダンスと実質的に等しくなるように設けられていることから、適用例１の効果と同様な効果を得ることができる。
【００１４】
［適用例３］
適用例３のスロットアンテナは、
（１）矩形のスロットが規定されている導体板と、
（２）前記スロットの第１の長辺上の第１の中点と第２の長辺上の第２の中点との間に設けられている共振用キャパシタと、
（３）前記第１の長辺上で前記第１の中点と一方の端点との間に設けられている第１の接続点、及び、前記第２の長辺上で前記第１の接続点に対応して設けられている第２の接続点であって、前記第１の中点及び前記第１の接続点間の距離により定まるインピーダンスが、当該第１の接続点に接続されている不平衡型の第１の回路の入力インピーダンスと実質的に等しい前記第１の接続点、及び、接地電位に接続されている前記第２の接続点と、
（４）前記第１の長辺上で前記第１の中点と前記一方の端点との間に設けられている第３の接続点、及び、前記第２の長辺上で前記第３の接続点に対応して設けられている第４の接続点であって、前記第１の中点及び前記第３の接続点間の距離により定まるインピーダンスが、当該第３の接続点に接続されている不平衡型の第２の回路の入力インピーダンスと実質的に等しい前記第３の接続点、及び、接地電位に接続されている前記第４の接続点と、を含む。
【００１５】
適用例３のスロットアンテナによれば、前記第１の接続点及び前記第２の接続点が、前記第１の中点と当該第１の接続点とにより定めるインピーダンスが、当該第１の接続点に接続されている前記第１の回路の入力インピーダンスに実質的に等しくなるように設けられており、かつ、前記第３の接続点及び前記第４の接続点が、前記第１の中点と当該第３の接続点とにより定めるインピーダンスが、当該第３の接続点に接続されている前記第２の回路の入力インピーダンスに実質的に等しくなるように設けられていることから、実施例１と同様の効果を得ることができる。
【００１６】
［適用例４］
適用例４のスロットアンテナは、
（１）矩形のスロットが規定されている導体板と、
（２）前記スロットの第１の長辺上の第１の中点と第２の長辺上の第２の中点との間に設けられている共振用キャパシタと、
（３）前記第１の長辺上で前記第１の中点と一方の端点との間に設けられている第１の接続点、及び、前記第２の長辺上で前記第１の接続点に対応して設けられている第２の接続点であって、前記第１の中点及び前記第１の接続点間の距離により定まるインピーダンスが、当該第１の接続点に接続される不平衡型の第１の回路の出力インピーダンスと実質的に等しい前記第１の接続点、及び、接地電位に接続されている前記第２の接続点と、
（４）前記第１の長辺上で前記第１の中点と他方の端点との間に設けられている第３の接続点、及び、前記第２の長辺上で前記第３の接続点に対応して設けられている第４の接続点であって、前記第１の中点及び前記第３の接続点間の距離により定まるインピーダンスが、当該第３の接続点に接続されている不平衡型の第２の回路の入力インピーダンスと実質的と等しい前記第３の接続点、及び、接地電位に接続されている前記第４の接続点と、を含む。
【００１７】
適用例４のスロットアンテナによれば、前記第１の接続点及び前記第２の接続点が、前記第１の中点と当該第１の接続点とにより定めるインピーダンスが、当該第１の接続点に接続されている前記第１の回路の出力インピーダンスに実質的に等しくなるように設けられており、かつ、前記第３の接続点及び前記第４の接続点が、前記第１の中点と当該第３の接続点とにより定めるインピーダンスが、当該第３の接続点に接続されている前記第２の回路の入力インピーダンスに実質的に等しくなるように設けられていることから、従来の送受共用アンテナに必要であった切換回路が不要となり、その結果、回路規模を小さくすることが可能となり、加えて、適用例１と同様に、従来のループアンテナに必要であった当該ループアンテナの困難な調整や設計を不要とすることができる。
【００１８】
［適用例５］
適用例５のスロットアンテナは、
（１）矩形のスロットが規定されている導体板と、
（２）前記スロットの第１の長辺上の第１の中点と第２の長辺上の第２の中点との間に設けられている共振用キャパシタと、
（３）前記第１の長辺上で前記第１の中点と一方の端点との間に設けられている第１の接続点、及び、前記第２の長辺上で前記第１の接続点に対応して設けられている第２の接続点であって、前記第１の中点及び前記第１の接続点間の距離により定まるインピーダンスが、当該第１の接続点に接続される不平衡型の第１の回路の出力インピーダンスと実質的に等しい前記第１の接続点、及び、接地電位に接続されている前記第２の接続点と、
（４）前記第１の長辺上で前記第１の中点と他方の端点との間に設けられている第３の接続点、及び、前記第２の長辺上で前記第３の接続点に対応して設けられた第４の接続点であって、前記第１の中点及び前記第３の接続点間の距離、並びに、前記第２の長辺上の第２の中点及び前記第４の接続点間の距離により定まるインピーダンスが、前記第３の接続点及び前記第４の接続点に接続されている平衡型の第２の回路の入力インピーダンスと実質的に等しい前記第３の接続点及び前記第４の接続点と、を含む。
【００１９】
適用例５のスロットアンテナによれば、適用例４のスロットアンテナと同様な効果を得ることができる。
【００２０】
［適用例６］
適用例６の無線装置は、
適用例１〜適用例３のスロットアンテナと、
前記第１の回路である整流回路と、
前記第２の回路である復調回路と、を含む。
【００２１】
［適用例７］
適用例７の無線装置は、
適用例４、適用例５のスロットアンテナと、
前記第１の回路である送信回路と、
前記第２の回路である受信回路と、を含む。
【００２２】
［適用例８］
適用例８の電子機器は、
適用例６、適用例７記載の無線装置を含む。
【発明を実施するための最良の形態】
【００２３】
実施例のスロットアンテナ、無線装置、及び電子機器について図面を参照して説明する。
【００２４】
《実施例１》
図１は、実施例１のスロットアンテナの構成を示す斜視図である。実施例１のスロットアンテナＳＡ１では、図１に示されるように、半導体基板（シリコン基板）ＳＢ上に形成されている薄板（薄膜）上の導体板ＣＮの表面に、外部から、電力Ｐ及び信号Ｓが重畳されている電波Ｍを受信するためのアンテナ素子として機能する矩形状のスロット（スリット）ＳＬが形成されている。
【００２５】
図２は、実施例１のスロットアンテナ、当該スロットアンテナを有する無線装置、及び、当該無線装置を含む電子機器の構成を示す。
【００２６】
スロットアンテナＳＡ１の説明に先立ち、電子機器Ｅ及び無線装置ＲＤ１について説明する。
【００２７】
電子機器Ｅは、例えば、キーレスエントリーシステムや携帯電話であり、図２に示されるように、無線装置ＲＤ１を有し、当該無線装置ＲＤ１に加えて、操作部ＯＰと、表示部ＤＰと、制御部ＣＴと、処理部ＰＲと、記憶部ＳＴと、電源部ＰＳとを有する。
【００２８】
操作部ＯＰは、入力を行うための、例えば、キー及びボタンであり、表示部ＤＰは、例えば、文字及び画像を表示するための、液晶パネル及び有機ＥＬパネルであり、制御部ＣＴは、電子機器Ｅの全体動作の制御及び監視を行うべく、例えば、ＣＰＵからなり、処理部ＰＲは、例えば、特化された演算処理を行うべく、ＤＳＰからなり、記憶部ＳＴは、前記した操作部ＯＰ〜処理部ＰＲの動作に必要なデータ（例えば、入力された命令、表示すべき画像、制御・監視のためのデータ、及び、処理により得られた情報）を記憶するために用いられ、電源部ＰＳは、例えば、リチウム電池からなる。
【００２９】
無線装置ＲＤ１は、スロットアンテナＳＡ１（図１に図示。）と、当該スロットアンテナＳＡ１の後段に設けられ、前記スロットアンテナＳＡ１から前記電力Ｐの供給を受ける「不平衡型」の整流回路ＲＣＴと、前記スロットアンテナＳＡ１から前記信号Ｓの出力を受ける「不平衡型」の復調回路ＤＥＭと、を有する。整流回路ＲＣＴは、前記電力Ｐについて、例えば、全波整流又は半波整流を行い、また、復調回路ＤＥＭは、前記信号Ｓについて、例えば、直接検波又は同期検波を行う。
【００３０】
無線装置ＲＤ１内では、スロットアンテナＳＡ１は、図１を用いて説明したように、スロットＳＬは、導体板ＣＮの表面に矩形状に形成されている。当該スロットＳＬは、一方の長辺ＬＳａの中点ＣＰａと、他方の長辺ＬＳｂの中点ＣＰｂとを接続する共振用キャパシタＣが設けられている。スロットアンテナＳＡ１は、スロットＳＬ（インダクタ）及び共振用キャパシタＣにより、前記電波Ｍの周波数と共振するＬＣ共振回路を構成しており、これにより、電波Ｍを受信する。
【００３１】
さらに、スロットＳＬには、一対の接続点ＦＤ１ａ、ＦＤ１ｂ、及び、他の一対の接続点ＦＤ２ａ、ＦＤ２ｂが設けられている。
【００３２】
前者の接続点ＦＤ１ａ、ＦＤ１ｂの接続については、接続点ＦＤ１ａは、前記整流回路ＲＣＴの入力端（例えば、当該整流回路ＲＣＴを構成するオペアンプの一方の入力端）に接続されており、接続点ＦＤ１ｂは、接地電位に接続されている（前記オペアンプの他方の入力端も接地電位に接続されている）。
【００３３】
後者の接続点ＦＤ２ａ、２ｂの接続については、接続点ＦＤ２ａは、復調回路ＤＥＭの入力端（例えば、当該復調回路ＤＥＭを構成するオペアンプの一方の入力端）に接続されており、接続点ＦＤ２ｂは、接地電位に接続されている（前記オペアンプの他方の入力端も接地電位に接続されている）。
【００３４】
前者の接続点ＦＤ１ａ、ＦＤ１ｂの位置については、接続点ＦＤ１ａは、中点ＣＰａと長辺ＬＳａの一方の端点Ｅａ（１）との間において、中点ＣＰａと接続点ＦＤ１ａとの間の距離ＬＧ１の大きさにより規定される、中点ＣＰａ及び接続点ＦＤ１ａ間のインピーダンスＺ（ＬＧ１）が、整流回路ＲＣＴの入力インピーダンスと実質的に等しくなる位置に設けられている（Ｚ（ＬＧ１）は図示せず。）。ここで、距離ＬＧ１が大きいほど、インピーダンスＺ（ＬＧ１）は小さくなる関係にある。
【００３５】
また、接続点ＦＤ１ｂは、長辺ＬＳｂ上において、前記接続点ＦＤ１ａに対応する位置に設けられている。
【００３６】
後者の接続点ＦＤ２ａ、ＦＤ２ｂの位置については、接続点ＦＤ２ａは、中点ＣＰａと長辺ＬＳａの他方の端点Ｅａ（２）との間において、中点ＣＰａと接続点ＦＤ２ａとの間の距離ＬＧ２の大きさにより規定される、中点ＣＰａ及び接続点ＦＤ２ａ間のインピーダンスＺ（ＬＧ２）が、復調回路ＤＥＭの入力インピーダンスと実質的に等しくなる位置に設けられている（Ｚ（ＬＧ２）は図示せず。）。距離ＬＧ１とインピーダンスＺ（ＬＧ１）との関係と同様に、距離ＬＧ２が大きいほど、インピーダンスＺ（ＬＧ２）は小さくなる関係にある。
【００３７】
また、接続点ＦＤ２ｂは、長辺ＬＳｂ上において、前記接続点ＦＤ２ａに対応する位置に設けられている。
【００３８】
上述したように、実施例１のスロットアンテナＳＡ１では、スロットＳＬに、不平衡型の整流回路ＲＣＴに電力Ｐを供給するための一対の接続点ＦＤ１ａ、ＦＤ１ｂが、前記中点ＣＰａと当該接続点ＦＤ１ａとの間の距離ＬＧ１により定めるインピーダンスＺ（ＬＧ１）が、前記整流回路ＲＣＴの入力インピーダンスと実質的に等しくなる位置に設けられており、かつ、不平衡型の復調回路ＤＥＭに信号Ｓを出力するための一対の接続点ＦＤ２ａ、ＦＤ２ｂが、前記中点ＣＰａと当該接続点ＦＤ２ａとの間の距離ＬＧ２により定まるインピーダンスＺ（ＬＧ２）が、前記復調回路ＤＥＭの入力インピーダンスと実質的に等しくなる位置に設けられている。これにより、スロットアンテナＳＡ１から前記整流回路ＲＣＴへの電力Ｐの供給、及び、スロットアンテナＳＡ１から前記復調回路ＤＥＭへの信号Ｓの出力を、従来必要であった分配回路及び整合回路を用いることなく、しかも、従来のループアンテナについての困難な設計及び調整を伴うことなく、行うことが可能となる。この結果、設計上及び調整上の煩わしさを回避しつつ、無線装置ＲＤ１の回路規模を従来に比して小型にすることができる。
【００３９】
図２では、整流回路ＲＣＴの入力インピーダンスが復調回路ＤＥＭの入力インピーダンスより大きいことから、距離ＬＧ１が距離ＬＧ２より大きい。これとは対照的に、整流回路ＲＣＴの入力インピーダンスが復調回路ＤＥＭの入力インピーダンスより小さければ、距離ＬＧ１は距離ＬＧ２より小さくなる。
【００４０】
《実施例２》
実施例２のスロットアンテナ、無線装置、及び電子機器について説明する。
【００４１】
図３は、実施例２のスロットアンテナ、及び、当該スロットアンテナを有する無線装置を示す。当該実施例２と上記した実施例１との相違点は、実施例１の整流回路ＲＣＴ及び復調回路ＤＥＭが「不平衡型」であるのに対し、実施例２のそれらが「平衡型」である点である。
【００４２】
実施例２の無線装置ＲＤ２は、実施例１の無線装置ＲＤ１と同様な構成を有し（図示せず。）、他方で、実施例１で説明した電子機器Ｅと同様な構成及び機能を有する電子機器（図示せず。）内に設けられている。
【００４３】
無線装置ＲＤ２は、図３に示されるように、スロットアンテナＳＡ２と、当該スロットアンテナＳＡ２の後段に設けられ、前記スロットアンテナＳＡ２から前記電力Ｐの供給を受ける「平衡型」の整流回路ＲＣＴと、前記スロットアンテナＳＡ２から前記信号Ｓの出力を受ける「平衡型」の復調回路ＤＥＭと、を有する。
【００４４】
スロットアンテナＳＡ２では、実施例１と同様に、導体板ＣＮの表面に、スロットＳＬが矩形状に形成されている。当該スロットＳＬは、実施例１と同様に、長辺ＬＳａの中点ＣＰａと、長辺ＬＳｂの中点ＣＰｂとを接続する共振用キャパシタＣが設けられている。スロットアンテナＳＡ２は、実施例１と同様に、スロットＳＬ（インダクタ）及び共振用キャパシタＣにより、前記電波Ｍの周波数と共振するＬＣ共振回路を構成しており、これにより、電波Ｍを受信する。
【００４５】
さらに、スロットＳＬには、実施例１と同様に、一対の接続点ＦＤ１ａ、ＦＤ１ｂ、及び、他の一対の接続点ＦＤ２ａ、ＦＤ２ｂが設けられている。
【００４６】
前者の接続点ＦＤ１ａ、ＦＤ１ｂの接続については、接続点ＦＤ１ａは、前記整流回路ＲＣＴの一方の入力端に接続されており、接続点ＦＤ１ｂは、実施例１と異なり、前記整流回路ＲＣＴの他方の入力端に接続されている。
【００４７】
後者の接続点ＦＤ２ａ、２ｂの接続については、接続点ＦＤ２ａは、前記復調回路ＤＥＭの一方の入力端に接続されており、接続点ＦＤ２ｂは、実施例１と異なり、前記復調回路ＤＥＭの他方の入力端に接続されている。
【００４８】
前者の接続点ＦＤ１ａ、ＦＤ１ｂの位置については、実施例１と同様に、接続点ＦＤ１ａは、中点ＣＰａと長辺ＬＳａの一方の端点Ｅａ（１）との間に設けられており、接続点ＦＤ１ｂは、中点ＣＰｂと長辺ＬＳｂの一方の端点Ｅｂ（１）との間に設けられている。但し、実施例２は、不平衡型である実施例１と異なり、平衡型であることから、より正確には、中点ＣＰａと接続点ＦＤ１ａとの間の距離ＬＧ１ａの大きさにより規定される、中点ＣＰａ及び接続点ＦＤ１ａ間のインピーダンスＺ（ＬＧ１ａ）、及び、中点ＣＰｂと接続点ＦＤ１ｂとの間の距離ＬＧ１ｂの大きさにより規定される、中点ＣＰｂ及び接続点ＦＤ１ｂ間のインピーダンスＺ（ＬＧ１ｂ）の合成インピーダンスが、前記整流回路ＲＣＴの両入力端間のインピーダンスと実質的に等しくなる位置に、接続点ＦＤ１ａ、１ｂが設けられている（Ｚ（ＬＧ１ａ）、Ｚ（ＬＧ１ｂ）は図示せず。）。
【００４９】
後者の接続点ＦＤ２ａ、ＦＤ２ｂの位置については、実施例１と同様に、接続点ＦＤ２ａは、中点ＣＰａと長辺ＬＳａの他方の端点Ｅａ（２）との間に設けられており、接続点ＦＤ２ｂは、中点ＣＰｂと長辺ＬＳｂの他方の端点Ｅｂ（２）との間に設けられている。但し、実施例２は、不平衡型である実施例１と異なり、平衡型であることから、より正確には、中点ＣＰａと接続点ＦＤ２ａとの間の距離ＬＧ２ａの大きさにより規定される、中点ＣＰａ及び接続点ＦＤ２ａ間のインピーダンスＺ（ＬＧ２ａ）、及び、中点ＣＰｂと接続点ＦＤ２ｂとの間の距離ＬＧ２ｂの大きさにより規定される、中点ＣＰｂ及び接続点ＦＤ２ｂ間のインピーダンスＺ（ＬＧ２ｂ）の合成インピーダンスが、前記復調回路ＤＥＭの両入力端間のインピーダンスと実質的に等しくなる位置に、接続点ＦＤ２ａ、２ｂが設けられている（Ｚ（ＬＧ２ａ）、Ｚ（ＬＧ２ｂ）は図示せず。）。
【００５０】
上述したように、実施例２のスロットアンテナＳＡ２では、スロットＳＬに、（１）平衡型の整流回路ＲＣＴに電力Ｐを供給するための一対の接続点ＦＤ１ａ、ＦＤ１ｂが、前記インピーダンスＺ（ＬＧ１ａ）及び前記インピーダンスＺ（ＬＧ１ｂ）の合成インピーダンスが、前記平衡型の整流回路ＲＣＴの両入力端間の入力インピーダンスと実質的に等しくなる位置に設けられており、かつ、（２）平衡型の復調回路ＤＥＭに信号Ｓを出力するための一対の接続点ＦＤ２ａ、ＦＤ２ｂが、前記インピーダンスＺ（ＬＧ２ａ）及び前記インピーダンスＺ（ＬＧ２ｂ）の合成インピーダンスが、前記平衡型の復調回路ＤＥＭの両入力端間の入力インピーダンスと実質的に等しくなる位置に設けられている。これにより、スロットアンテナＳＡ２から前記整流回路ＲＣＴへの電力Ｐの供給、及び、スロットアンテナＳＡ２から前記復調回路ＤＥＭへの信号Ｓの出力を、実施例１と同様に、従来必要であった分配回路及び整合回路を用いることなく、しかも、従来のループアンテナについての困難な設計及び調整を伴うことなく、行うことが可能となる。この結果、実施例１と同様に、設計上及び調整上の煩雑さを避けつつ、無線装置ＲＤ２の回路規模を従来に比して小型にすることができる。
【００５１】
《実施例３》
実施例３のスロットアンテナ、無線装置、及び電子機器について説明する。
【００５２】
図４は、実施例３のスロットアンテナ、及び、当該スロットアンテナを有する無線装置を示す。当該実施例３と上記した実施例１との相違点は、実施例１の一対の接続点ＦＤ１ａ、ＦＤ１ｂが中点ＣＰａ、ＣＰｂ及び一方の端点Ｅａ（１）、Ｅｂ（１）間に設けられているのに対し、実施例３の一対の接続点ＦＤ１ａ、ＦＤ１ｂが、一対の接続点ＦＤ２ａ、ＦＤ２ｂと同様に、中点ＣＰａ、ＣＰｂ及び他方の端点Ｅａ（２）、Ｅｂ（２）に設けられている点である。
【００５３】
実施例３の無線装置ＲＤ３は、実施例１、２の無線装置ＲＤ１、ＲＤ２と同様な構成を有し（図示せず。）、他方で、実施例１で説明した電子機器Ｅと同様な構成及び機能を有する電子機器（図示せず。）内に設けられている。
【００５４】
無線装置ＲＤ３は、図４に示されるように、スロットアンテナＳＡ３と、当該スロットアンテナＳＡ３の後段に設けられ、前記スロットアンテナＳＡ３から前記電力Ｐの供給を受ける、実施例１と同様な「不平衡型」の整流回路ＲＣＴと、前記スロットアンテナＳＡ３から前記信号Ｓの出力を受ける、実施例１と同様な「不平衡型」の復調回路ＤＥＭと、を有する。
【００５５】
無線装置ＲＤ３内では、スロットアンテナＳＡ３は、図１を用いて説明したように、スロットＳＬは、実施例１と同様に、導体板ＣＮの表面に、矩形状に形成されている。当該スロットＳＬは、実施例１と同様に、長辺ＬＳａの中点ＣＰａと、長辺ＬＳｂの中点ＣＰｂとを接続する共振用キャパシタＣが設けられている。スロットアンテナＳＡ３は、スロットＳＬ（インダクタ）及び共振用キャパシタＣにより、前記電波Ｍの周波数と共振するＬＣ共振回路を構成しており、これにより、電波Ｍを受信する。
【００５６】
さらに、スロットＳＬには、実施例１と同様に、一対の接続点ＦＤ１ａ、ＦＤ１ｂ、及び、他の一対の接続点ＦＤ２ａ、ＦＤ２ｂが設けられている。
【００５７】
前者の接続点ＦＤ１ａ、ＦＤ１ｂの接続については、実施例１と同様に、接続点ＦＤ１ａは、前記整流回路ＲＣＴの一方の入力端に接続されており（他方の入力端は接地電位に接続されている。）、接続点ＦＤ１ｂは、接地電位に接続されている。
【００５８】
後者の接続点ＦＤ２ａ、２ｂの接続については、実施例１と同様に、接続点ＦＤ２ａは、復調回路ＤＥＭの一方の入力端に接続されており（他方の入力端は接地電位に接続されている。）、接続点ＦＤ２ｂは、接地電位に接続されている。
【００５９】
前者の接続点ＦＤ１ａ、ＦＤ１ｂの位置については、実施例１と異なり、接続点ＦＤ１ａは、中点ＣＰａと長辺ＬＳａの他方の端点Ｅａ（２）との間において、中点ＣＰａと接続点ＦＤ１ａとの間の距離ＬＧ１の大きさにより規定される、中点ＣＰａ及び接続点ＦＤ１ａ間のインピーダンスＺ（ＬＧ１）が、整流回路ＲＣＴの入力インピーダンスと実質的に等しくなる位置に設けられている（Ｚ（ＬＧ１）は図示せず。）。ここで、実施例１と同様に、距離ＬＧ１が大きいほど、インピーダンスＺ（ＬＧ１）は小さくなる関係にある。
【００６０】
接続点ＦＤ１ｂは、長辺ＬＳｂにおいて、接続点ＦＤ１ａに対応する位置に設けられている。
【００６１】
後者の接続点ＦＤ２ａ、ＦＤ２ｂの位置については、実施例１と同様に、接続点ＦＤ２ａは、中点ＣＰａと長辺ＬＳａの他方の端点Ｅａ（２）との間に、中点ＣＰａと接続点ＦＤ２ａとの間の距離ＬＧ２の大きさにより規定される、中点ＣＰａ及び接続点ＦＤ２ａ間のインピーダンスＺ（ＬＧ２）が、復調回路ＤＥＭの入力インピーダンスと実質的に等しくなる位置に設けられている（Ｚ（ＬＧ２）は図示せず。）。距離ＬＧ１とインピーダンスＺ（ＬＧ１）との関係と同様に、距離ＬＧ２が大きいほど、インピーダンスＺ（ＬＧ２）は小さくなる関係にある。
【００６２】
接続点ＦＤ２ｂは、長辺ＬＳｂにおいて、接続点ＦＤ２ａに対応する位置に設けられている。
【００６３】
上述したように、実施例３のスロットアンテナＳＡ３では、スロットＳＬに、不平衡型の整流回路ＲＣＴに電力Ｐを供給するための一対の接続点ＦＤ１ａ、ＦＤ１ｂが、中点ＣＰａと当該接続点ＦＤ１ａとの間の距離ＬＧ１により定まるインピーダンスＺ（ＬＧ１）が、前記整流回路ＲＣＴの入力インピーダンスと実質的に等しくなる位置に設けられており、かつ、不平衡型の復調回路ＤＥＭに信号Ｓを出力するための一対の接続点ＦＤ２ａ、ＦＤ２ｂが、前記中点ＣＰａと当該接続点ＦＤ２ａとの間の距離ＬＧ２により定まるインピーダンスＺ（ＬＧ２）が、前記復調回路ＤＥＭの入力インピーダンスと実質的に等しくなる位置に設けられている。これにより、スロットアンテナＳＡ３から前記整流回路ＲＣＴへの電力Ｐの供給、及び、スロットアンテナＳＡ３から前記復調回路ＤＥＭへの信号Ｓの出力を、従来必要であった分配回路及び整合回路を用いることなく、しかも、従来のループアンテナについての困難な設計及び調整を伴うことなく、行うことが可能となる。この結果、設計上及び調整上の困難を生ずることなく、無線装置ＲＤ３の回路規模を従来に比して小型にすることができる。
【００６４】
《実施例４》
実施例４のスロットアンテナ、無線装置、及び電子機器について説明する。
【００６５】
図５は、実施例４のスロットアンテナ、及び、当該スロットアンテナを有する無線装置を示す。当該実施例４と上記した実施例１との相違点は、実施例１では、スロットアンテナＳＡ１の後段に整流回路ＲＣＴ及び復調回路ＤＥＭが設けられているのに対し、実施例４では、スロットアンテナＳＡ４の前段に送信回路ＴＸが設けられ、かつ、スロットアンテナＳＡ４の後段に受信回路ＲＸが設けられている点である。
【００６６】
実施例４の無線装置ＲＤ４は、実施例１の無線装置ＲＤ１と同様な構成を有し（図示せず。）、他方で、実施例１で説明した電子機器Ｅと同様な構成及び機能を有する電子機器（図示せず。）内に設けられている。
【００６７】
無線装置ＲＤ４は、図５に示されるように、スロットアンテナＳＡ４と、当該スロットアンテナＳＡ４の前段に設けられ、外部へ送信すべき信号Ｓｔ（送信信号Ｓｔ）を前記スロットアンテナＳＡ４に出力する、「不平衡型」の送信回路ＴＸと、外部から受けた信号Ｓｒ（受信信号Ｓｒ）を、前記スロットアンテナＳＡ４から入力される、「不平衡型」の受信回路ＲＸと、を有する。
【００６８】
無線装置ＲＤ４内では、スロットアンテナＳＡ４は、図１を用いて説明したように、スロットＳＬは、実施例１と同様に、導体板ＣＮの表面に、矩形状に形成されている。当該スロットＳＬは、実施例１と同様に、長辺ＬＳａの中点ＣＰａと、長辺ＬＳｂの中点ＣＰｂとを接続する共振用キャパシタＣが設けられている。スロットアンテナＳＡ４は、実施例１と同様に、スロットＳＬ（インダクタ）及び共振用キャパシタＣにより、前記電波Ｍの周波数と共振するＬＣ共振回路を構成しており、これにより、電波Ｍを受信する。
【００６９】
さらに、スロットＳＬには、実施例１と同様に、一対の接続点ＦＤ１ａ、ＦＤ１ｂ、及び、他の一対の接続点ＦＤ２ａ、ＦＤ２ｂが設けられている。
【００７０】
前者の接続点ＦＤ１ａ、ＦＤ１ｂの接続については、接続点ＦＤ１ａは、実施例１と異なり、前記送信回路ＴＸの出力端に接続されており、接続点ＦＤ１ｂは、実施例１と同様に、接地電位に接続されている。
【００７１】
後者の接続点ＦＤ２ａ、２ｂの接続については、接続点ＦＤ２ａは、実施例１と異なり、受信回路ＲＸの入力端に接続されており、接続点ＦＤ２ｂは、実施例１と同様に、接地電位に接続されている。
【００７２】
前者の接続点ＦＤ１ａ、ＦＤ１ｂの位置については、実施例１と実質的に同様に、接続点ＦＤ１ａは、中点ＣＰａと長辺ＬＳａの一方の端点Ｅａ（１）との間において、中点ＣＰａと接続点ＦＤ１ａとの間の距離ＬＧ１の大きさにより規定される、中点ＣＰａ及び接続点ＦＤ１ａ間のインピーダンスＺ（ＬＧ１）が、送信回路ＴＸの出力インピーダンスと実質的に等しくなる位置に設けられている（Ｚ（ＬＧ１）は図示せず。）。ここで、実施例１と同様に、距離ＬＧ１が大きいほど、インピーダンスＺ（ＬＧ１）は小さくなる関係にある。
【００７３】
接続点ＦＤ１ｂは、長辺ＬＳｂ上において、接続点ＦＤ１ａに対応する位置に設けられている。
【００７４】
後者の接続点ＦＤ２ａ、ＦＤ２ｂの位置については、実施例１と実質的に同様に、接続点ＦＤ２ａは、中点ＣＰａと長辺ＬＳａの他方の端点Ｅａ（２）との間において、中点ＣＰａと接続点ＦＤ２ａとの間の距離ＬＧ２の大きさにより規定される、中点ＣＰａ及び接続点ＦＤ２ａ間のインピーダンスＺ（ＬＧ２）が、受信回路ＲＸの入力インピーダンスと実質的に等しくなる位置に設けられている（Ｚ（ＬＧ２は図示せず。）。距離ＬＧ１とインピーダンスＺ（ＬＧ１）との関係と同様に、距離ＬＧ２が大きいほど、インピーダンスＺ（ＬＧ２）は小さくなる関係にある。
【００７５】
接続点ＦＤ２ｂは、長辺ＬＳｂ上において、接続点ＦＤ２ａに対応する位置に設けられている。
【００７６】
上述したように、実施例４のスロットアンテナＳＡ４では、スロットＳＬに、不平衡型の送信回路ＴＸから送信信号Ｓｔを出力するための一対の接続点ＦＤ１ａ、ＦＤ１ｂが、当該接続点ＦＤ１ａと中点ＣＰａとの間の距離ＬＧ１により定まるインピーダンスＺ（ＬＧ１）が前記送信回路ＴＸの出力インピーダンスと実質的に等しくなる位置に設けられており、かつ、不平衡型の受信回路ＲＸに受信信号Ｓｒを出力するための一対の接続点ＦＤ２ａ、ＦＤ２ｂが、当該接続点ＦＤ２ａと前記中点ＣＰａとの間の距離ＬＧ２により定まるインピーダンスＺ（ＬＧ２）が前記受信回路ＲＸの入力インピーダンスと実質的に等しくなる位置に設けられている。これにより、スロットアンテナＳＡ４への前記送信回路ＴＸからの送信信号Ｓｔの出力、及び、スロットアンテナＳＡ４から前記受信回路ＲＸへの受信信号Ｓｒの出力を、従来必要であった、前記送信信号Ｓｔと前記受信信号Ｓｒとを切り換えるための切換回路を用いることなく行うことが可能となる。この結果、無線装置ＲＤ４の回路規模を従来に比して小型にすることができる。
【００７７】
〈変形例〉
上記した、図５に図示された、不平衡型の受信回路ＲＸに接続されている接続点ＦＤ２ａ、ＦＤ２ｂ（但し、接続点ＦＤ２ｂは接地電位。）を有するスロットアンテナＳＡ４に代えて、図６に図示された、平衡型の受信回路ＲＸの両入力端に接続されている接続点ＦＤ２ａ、ＦＤ２ｂを有するスロットアンテナＳＡ４によっても、上記したと同様な効果を得ることができる。
【００７８】
本発明の内容は、上記した実施例における、給電点の位置、平衡型又は不平衡型のタイプ、無線装置の回路構成等に制限されるものではない。
【図面の簡単な説明】
【００７９】
【図１】実施例１のスロットアンテナの構成を示す斜視図。
【図２】実施例１のスロットアンテナ、無線装置、及び、電子機器の構成を示す図。
【図３】実施例２のスロットアンテナ、及び無線装置の構成を示す図。
【図４】実施例３のスロットアンテナ、及び無線装置の構成を示す図。
【図５】実施例４のスロットアンテナ、及び無線装置の構成を示す図。
【図６】実施例４の変形例のスロットアンテナ、及び無線装置の構成を示す図。
【図７】従来のスロットアンテナの構成を示す図。
【図８】従来のループアンテナの構成を示す図。
【図９】従来の送受共用アンテナを備える無線装置の構成を示す図。
【符号の説明】
【００８０】
Ｅ…電子機器、ＲＤ１…無線装置、ＳＡ１…スロットアンテナ、ＳＬ…スロット、ＦＤ１ａ…第１の接続点、ＦＤ１ｂ…第２の接続点、ＦＤ２ａ…第３の接続点、ＦＤ２ｂ…第４の接続点、ＣＰａ、ＣＰｂ…中点、ＲＣＴ…整流回路、ＤＥＭ…復調回路。
【図１】
2009159005.tif 000003
【図２】
2009159005.tif 000004
【図３】
2009159005.tif 000005
【図４】
2009159005.tif 000006
【図５】
2009159005.tif 000007
【図６】
2009159005.tif 000008
【図７】
2009159005.tif 000009
【図８】
2009159005.tif 000010
【図９】
2009159005.tif 000011